(57)【要約】【課題】ネットワークを介して複数の利用者の間で画像（写真）を共有することで、現実の繋がりのあるコミュニティを構築する可能とする。【解決手段】表示端末１−１〜１−３は、画像蓄積／配信サーバ２に画像を送信する際、端末の設置位置情報、画像の撮影場所情報を付加して送信する。画像蓄積／配信サーバ２は、表示装置１−１〜１−３からの画像と、該画像に付加されている設置位置情報、及び撮影位置情報とを対応付けて蓄積する。画像蓄積／配信サーバ２は、蓄積されている複数の画像の中から、該当表示装置の設置位置、または画像の撮影位置を検索条件とし、該検索条件と略同一の設置位置、または撮影位置の画像を選択し、該当表示装置１−１〜１−３端末装置に送信する。表示装置１−１〜１−３は、画像蓄積／配信サーバ２から送信されてくる画像を受信して保存する。【選択図】図１
2011076427.tif 000002
【特許請求の範囲】
【請求項１】
サーバ装置にアップロードした画像を、ネットワークを介して複数の端末装置で共有する画像共有システムであって、
前記サーバ装置は、
前記複数の端末装置のいずれかから画像がアップロードされた際に、画像をアップロードした端末装置の設置位置を示す位置情報を検索条件とし、既にアップロードされている複数の画像の中から、前記検索条件である位置情報に対応する設置位置の端末装置で撮影された画像を検索し、この検索された画像を前記アップロードした端末装置に送信する第１の画像配信手段を備えることを特徴とする画像共有システム。
【請求項２】
前記サーバ装置は、
前記複数の端末装置からアップロードされた複数の画像の各々に対して、前記アップロードした端末装置の設置位置を示す設置位置情報を対応付けて記憶管理する設置位置情報管理手段を更に備えることを特徴とする請求項１に記載の画像共有システム。
【請求項３】
前記サーバ装置は、
前記複数の端末装置のいずれかから画像がアップロードされた際に、アップロードした端末装置の設置位置を示す位置情報を検索条件とし、既にアップロードされている複数の画像の中から、前記検索条件である位置情報に対応する撮影位置の画像を検索し、この検索された画像を、前記アップロードした端末装置に送信する第２の画像配信手段と、
前記アップロードした端末装置からの指定に従って、前記第１の画像配信手段と前記第２の画像配信手段とのいずれか一方を選択して画像配信させる配信選択手段と
を更に備えることを特徴とする請求項１または２に記載の画像共有システム。
【請求項４】
前記サーバ装置は、
前記複数の端末装置からアップロードされた複数の画像の各々に対して、該画像の撮影位置を示す撮影位置情報を対応付けて記憶管理する撮影位置情報管理手段を更に備えることを特徴とする請求項３に記載の画像共有システム。
【請求項５】
前記サーバ装置は、
前記複数の端末装置のいずれかから画像がアップロードされた際に、このアップロードされた画像の撮影位置を示す位置情報を検索条件とし、既にアップロードされている複数の画像の中から、前記検索条件の位置情報に対応する設置位置の端末装置が撮影した画像を検索し、この検索された画像を、前記アップロードした端末装置に送信する第３の画像配信手段を更に備え、
前記配信選択手段は、
前記アップロードした端末装置からの指定に従って、前記第１の画像配信手段、前記第２の画像配信手段、または前記第３の画像配信手段のいずれか１つを選択して画像配信させることを特徴とする請求項４に記載の画像共有システム。
【請求項６】
前記サーバ装置は、
前記複数の端末装置のいずれかから画像がアップロードされた際に、このアップロード画像の撮影位置を示す位置情報を検索条件とし、既にアップロードされている複数の画像の中から、記検索条件の位置情報に対応する撮影位置の画像を検索し、この検索された画像を、前記アップロードした端末装置に送信する第４の画像配信手段を更に備え、
前記配信選択手段は、
前記アップロードした端末装置からの指定に従って、前記第１の画像配信手段、前記第２の画像配信手段、前記第３の画像配信手段、または前記第４の画像配信手段のいずれか１つを選択して画像配信させることを特徴とする請求項３または５に記載の画像共有システム。
【請求項７】
前記端末装置は、
前記サーバ装置に画像を送信する際に、最新の設置位置情報を取得し、送信する画像に付加する位置情報取得手段を備えることを特徴とする請求項１ないし６のいずれかに記載の画像共有システム。
【請求項８】
前記端末装置は、
前記サーバ装置から送信されてきた画像を表示する表示手段と、
前記サーバ装置から複数の画像が送信されてきた場合には、この複数の画像を前記表示手段にスライドショー表示する表示制御手段と
を更に備えることを特徴とする請求項１ないし７のいずれかに記載の画像共有システム。
【請求項９】
前記第１の画像配信手段は、前記検索条件である位置情報に対応する設置位置の端末装置を特定する場合に、前記検索条件である位置情報で示される位置からの距離が予め指定された範囲内に設置された端末装置、または、前記検索条件である位置情報で示される地域と同じ地域内に設置された端末装置を特定することを特徴とする請求項１ないし８のいずれかに記載の画像共有システム。
【請求項１０】
前記第２の画像配信手段は、前記検索条件である位置情報に対応する撮影位置の画像を特定する場合に、前記検索条件である位置情報で示される位置からの距離が予め指定された範囲内で撮影された画像、または、前記検索条件である位置情報で示される地域と同じ地域内で撮影された画像を特定することを特徴とする請求項３ないし８のいずれかに記載の画像共有システム。
【請求項１１】
前記第３の画像配信手段は、前記検索条件である位置情報に対応する設置位置の端末装置を特定する場合に、前記検索条件である位置情報で示される位置からの距離が予め指定された範囲内に設置された端末装置、または、前記検索条件である位置情報で示される地域と同じ地域内に設置された端末装置を特定することを特徴とする請求項５ないし８のいずれかに記載の画像共有システム。
【請求項１２】
前記第４の画像配信手段は、前記検索条件である位置情報に対応する撮影位置の画像を特定する場合に、前記検索条件である位置情報で示される位置からの距離が予め指定された範囲内で撮影された画像、または、前記検索条件である位置情報で示される地域と同じ地域内で撮影された画像を特定することを特徴とする請求項６ないし８のいずれかに記載の画像共有システム。
【請求項１３】
サーバ装置にアップロードした画像を、ネットワークを介して複数の端末装置で共有する画像共有方法であって、
前記複数の端末装置のいずれかが、前記サーバ装置に画像を送信する際、当該端末装置の設置位置を示す設置位置情報を付加して送信するステップと、
前記サーバ装置が、前記複数の端末装置のいずれかから画像がアップロードされた際に、画像をアップロードした端末装置の設置位置を示す位置情報を検索条件とし、既にアップロードされている複数の画像の中から、前記検索条件である位置情報に対応する設置位置の端末装置で撮影された画像を検索するステップと、
前記サーバ装置が、検索された画像を前記アップロードした端末装置に送信するステップと、
前記アップロードした端末装置が、前記サーバ装置から送信されてくる画像を受信して保存するステップと
を含むことを特徴とする画像共有方法。
【請求項１４】
前記サーバ装置が、前記複数の端末装置のいずれかから画像がアップロードされた際に、アップロードした端末装置の設置位置を示す位置情報を検索条件とし、既にアップロードされている複数の画像の中から、前記検索条件である位置情報に対応する撮影位置の画像を検索するステップと、
この検索された画像を、前記アップロードした端末装置に送信するステップと
を更に含むことを特徴とする請求項１３に記載の画像共有方法。
【請求項１５】
前記サーバ装置が、前記複数の端末装置のいずれかから画像がアップロードされた際に、このアップロードされた画像の撮影位置を示す位置情報を検索条件とし、既にアップロードされている複数の画像の中から、前記検索条件の位置情報に対応する設置位置の端末装置が撮影した画像を検索するステップと、
この検索された画像を、前記アップロードした端末装置に送信するステップと
を更に含むことを特徴とする請求項１３または１４に記載の画像共有方法。
【請求項１６】
前記サーバ装置が、前記複数の端末装置のいずれかから画像がアップロードされた際に、このアップロード画像の撮影位置を示す位置情報を検索条件とし、既にアップロードされている複数の画像の中から、記検索条件の位置情報に対応する撮影位置の画像を検索するステップと、
この検索された画像を、前記アップロードした端末装置に送信するステップと
を更に含むことを特徴とする請求項１３ないし１５のいずれかに記載の画像共有方法。
【発明の詳細な説明】
【技術分野】
【０００１】
本発明は、サーバ装置にアップロードした画像を不特定多数の人と共有する画像共有システム、及び画像共有方法に関する。
【背景技術】
【０００２】
従来、ネットワークを介して複数の利用者の間で画像（写真）を共有することが可能な画像共有システムが提案されている（例えば、特許文献１、特許文献２参照）。
【０００３】
従来技術においては、利用者からの画像のアップロード時に嗜好識別情報（夜景、人物、など）を付加して送信し、利用者への画像のダウンロード時には、サーバ側で嗜好識別情報に基づいて送信画像を選択するようにしている。
【先行技術文献】
【特許文献】
【０００４】
【特許文献１】特表２００６−５２４４４６
【特許文献２】特開２００９−９９１４２号公報
【発明の概要】
【発明が解決しようとする課題】
【０００５】
ところで、写真撮影を趣味にしている人は、自分の写真への感想コメントを聞きたいと思ったり、他人の写真へ感想をコメントしたいと思ったり、ときには、ネットワーク上だけではない現実の繋がり、つまり実際に会って活動（オフ会・写真サークルの発足）を行おうとすることも考えられる。このような現実の繋がりのあるコミュニティを構築するに当たっては、コミュニティの参加者が比較的近隣に居ることが条件となる。
【０００６】
しかしながら、上述した従来技術においては、ネットワーク上での閉じた仕組みであるため、仮にこれらのサービスを基にコミュニティが形成されたとしても、ネットワーク上の仮想的なコミュニティしか構築できず、現実の繋がりのあるコミュニティを構築することができないという問題があった。
【０００７】
そこで本発明は、ネットワークを介して複数の利用者の間で画像（写真）を共有することで、現実の繋がりのあるコミュニティを構築することができる画像共有システム、及び画像共有方法を提供することを目的とする。
【課題を解決するための手段】
【０００８】
上記目的達成のため、請求項１記載の発明は、サーバ装置にアップロードした画像を、ネットワークを介して複数の端末装置で共有する画像共有システムであって、前記サーバ装置は、前記複数の端末装置のいずれかから画像がアップロードされた際に、画像をアップロードした端末装置の設置位置を示す位置情報を検索条件とし、既にアップロードされている複数の画像の中から、前記検索条件である位置情報に対応する設置位置の端末装置で撮影された画像を検索し、この検索された画像を前記アップロードした端末装置に送信する第１の画像配信手段を備えることを特徴とする画像共有システムである。
【０００９】
また、好ましい態様として、例えば請求項２記載のように、請求項１に記載の画像共有システムにおいて、前記サーバ装置は、前記複数の端末装置からアップロードされた複数の画像の各々に対して、前記アップロードした端末装置の設置位置を示す設置位置情報を対応付けて記憶管理する設置位置情報管理手段を更に備えることを特徴とする。
【００１０】
また、好ましい態様として、例えば請求項３記載のように、請求項１または２に記載の画像共有システムにおいて、前記サーバ装置は、前記複数の端末装置のいずれかから画像がアップロードされた際に、アップロードした端末装置の設置位置を示す位置情報を検索条件とし、既にアップロードされている複数の画像の中から、前記検索条件である位置情報に対応する撮影位置の画像を検索し、この検索された画像を、前記アップロードした端末装置に送信する第２の画像配信手段と、前記アップロードした端末装置からの指定に従って、前記第１の画像配信手段と前記第２の画像配信手段とのいずれか一方を選択して画像配信させる配信選択手段とを更に備えることを特徴とする。
【００１１】
また、好ましい態様として、例えば請求項４記載のように、請求項３に記載の画像共有システムにおいて、前記サーバ装置は、前記複数の端末装置からアップロードされた複数の画像の各々に対して、該画像の撮影位置を示す撮影位置情報を対応付けて記憶管理する撮影位置情報管理手段を更に備えることを特徴とする。
【００１２】
また、好ましい態様として、例えば請求項５記載のように、請求項４に記載の画像共有システムにおいて、前記サーバ装置は、前記複数の端末装置のいずれかから画像がアップロードされた際に、このアップロードされた画像の撮影位置を示す位置情報を検索条件とし、既にアップロードされている複数の画像の中から、前記検索条件の位置情報に対応する設置位置の端末装置が撮影した画像を検索し、この検索された画像を、前記アップロードした端末装置に送信する第３の画像配信手段を更に備え、前記配信選択手段は、前記アップロードした端末装置からの指定に従って、前記第１の画像配信手段、前記第２の画像配信手段、または前記第３の画像配信手段のいずれか１つを選択して画像配信させることを特徴とする。
【００１３】
また、好ましい態様として、例えば請求項６記載のように、請求項３または５に記載の画像共有システムにおいて、前記サーバ装置は、前記複数の端末装置のいずれかから画像がアップロードされた際に、このアップロード画像の撮影位置を示す位置情報を検索条件とし、既にアップロードされている複数の画像の中から、記検索条件の位置情報に対応する撮影位置の画像を検索し、この検索された画像を、前記アップロードした端末装置に送信する第４の画像配信手段を更に備え、前記配信選択手段は、前記アップロードした端末装置からの指定に従って、前記第１の画像配信手段、前記第２の画像配信手段、前記第３の画像配信手段、または前記第４の画像配信手段のいずれか１つを選択して画像配信させることを特徴とする。
【００１４】
また、好ましい態様として、例えば請求項７記載のように、請求項１ないし６のいずれかに記載の画像共有システムにおいて、前記端末装置は、前記サーバ装置に画像を送信する際に、最新の設置位置情報を取得し、送信する画像に付加する位置情報取得手段を備えることを特徴とする。
【００１５】
また、好ましい態様として、例えば請求項８記載のように、請求項１ないし７のいずれかに記載の画像共有システムにおいて、前記端末装置は、前記サーバ装置から送信されてきた画像を表示する表示手段と、前記サーバ装置から複数の画像が送信されてきた場合には、この複数の画像を前記表示手段にスライドショー表示する表示制御手段とを更に備えることを特徴とする。
【００１６】
また、好ましい態様として、例えば請求項９記載のように、請求項１ないし８のいずれかに記載の画像共有システムにおいて、前記第１の画像配信手段は、前記検索条件である位置情報に対応する設置位置の端末装置を特定する場合に、前記検索条件である位置情報で示される位置からの距離が予め指定された範囲内に設置された端末装置、または、前記検索条件である位置情報で示される地域と同じ地域内に設置された端末装置を特定することを特徴とする。
【００１７】
また、好ましい態様として、例えば請求項１０記載のように、請求項３ないし８のいずれかに記載の画像共有システムにおいて、前記第２の画像配信手段は、前記検索条件である位置情報に対応する撮影位置の画像を特定する場合に、前記検索条件である位置情報で示される位置からの距離が予め指定された範囲内で撮影された画像、または、前記検索条件である位置情報で示される地域と同じ地域内で撮影された画像を特定することを特徴とする。
【００１８】
また、好ましい態様として、例えば請求項１１記載のように、請求項５ないし８のいずれかに記載の画像共有システムにおいて、前記第３の画像配信手段は、前記検索条件である位置情報に対応する設置位置の端末装置を特定する場合に、前記検索条件である位置情報で示される位置からの距離が予め指定された範囲内に設置された端末装置、または、前記検索条件である位置情報で示される地域と同じ地域内に設置された端末装置を特定することを特徴とする。
【００１９】
また、好ましい態様として、例えば請求項１２記載のように、請求項６ないし８のいずれかに記載の画像共有システムにおいて前記第４の画像配信手段は、前記検索条件である位置情報に対応する撮影位置の画像を特定する場合に、前記検索条件である位置情報で示される位置からの距離が予め指定された範囲内で撮影された画像、または、前記検索条件である位置情報で示される地域と同じ地域内で撮影された画像を特定することを特徴とする。
【００２０】
また、上記目的達成のため、請求項１３記載の発明は、サーバ装置にアップロードした画像を、ネットワークを介して複数の端末装置で共有する画像共有方法であって、前記複数の端末装置のいずれかが、前記サーバ装置に画像を送信する際、当該端末装置の設置位置を示す設置位置情報を付加して送信するステップと、前記サーバ装置が、前記複数の端末装置のいずれかから画像がアップロードされた際に、画像をアップロードした端末装置の設置位置を示す位置情報を検索条件とし、既にアップロードされている複数の画像の中から、前記検索条件である位置情報に対応する設置位置の端末装置で撮影された画像を検索するステップと、前記サーバ装置が、検索された画像を前記アップロードした端末装置に送信するステップと、前記アップロードした端末装置が、前記サーバ装置から送信されてくる画像を受信して保存するステップとを含むことを特徴とする画像共有方法である。
【００２１】
また、好ましい態様として、例えば請求項１４記載のように、請求項１３に記載の画像共有方法において、前記サーバ装置が、前記複数の端末装置のいずれかから画像がアップロードされた際に、アップロードした端末装置の設置位置を示す位置情報を検索条件とし、既にアップロードされている複数の画像の中から、前記検索条件である位置情報に対応する撮影位置の画像を検索するステップと、この検索された画像を、前記アップロードした端末装置に送信するステップとを更に含むことを特徴とする。
【００２２】
また、好ましい態様として、例えば請求項１５記載のように、請求項１３または１４に記載の画像共有方法において、前記サーバ装置が、前記複数の端末装置のいずれかから画像がアップロードされた際に、このアップロードされた画像の撮影位置を示す位置情報を検索条件とし、既にアップロードされている複数の画像の中から、前記検索条件の位置情報に対応する設置位置の端末装置が撮影した画像を検索するステップと、この検索された画像を、前記アップロードした端末装置に送信するステップとを更に含むことを特徴とする。
【００２３】
また、好ましい態様として、例えば請求項１６記載のように、請求項１３ないし１５のいずれかに記載の画像共有方法において、前記サーバ装置が、前記複数の端末装置のいずれかから画像がアップロードされた際に、このアップロード画像の撮影位置を示す位置情報を検索条件とし、既にアップロードされている複数の画像の中から、記検索条件の位置情報に対応する撮影位置の画像を検索するステップと、この検索された画像を、前記アップロードした端末装置に送信するステップとを更に含むことを特徴とする。
【発明の効果】
【００２４】
この発明によれば、ネットワークを介して複数の利用者の間で画像（写真）を共有することで、現実の繋がりのあるコミュニティを構築することができるという利点が得られる。
【図面の簡単な説明】
【００２５】
【図１】本発明の実施形態による画像共有システムの構成を示すブロック図である。
【図２】画像蓄積／配信サーバ２における、画像管理情報を説明するための概念図である。
【図３】本実施形態による画像蓄積／配信サーバ２の動作を説明するためのフローチャートである。
【図４】本実施形態による表示端末１−１〜１−３の動作を説明するためのフローチャートである。
【発明を実施するための形態】
【００２６】
以下、本発明の実施の形態を、図面を参照して説明する。
【００２７】
Ａ．実施形態の構成
図１は、本発明の実施形態による画像共有システムの構成を示すブロック図である。図において、画像共有システムは、複数の表示端末１−１〜１−３と画像蓄積／配信サーバ２とを、ネットワーク（インターネットなど）３で接続して構成される。なお、以下の説明では、簡単のため画像（写真）を共有する場合を例に説明するが、本発明は、画像に限定したものではなく、動画などを共有する場合においても有効である。
【００２８】
表示端末１−１〜１−３は、パソコン、テレビ、フォトフレーム、携帯端末等、画像を表示する機能、設置場所の位置情報を取得する機能（外部から取得してもよい）、画像をネットワーク３を介して画像蓄積／配信サーバ２にアップロード、及びネットワーク３を介して画像蓄積／配信サーバからダウンロードする機能を備えていれば、どのようなものであってもよい。
【００２９】
表示端末１−１は、デジタルカメラ機器１−１０、ルータ１−１１、及びデジタルフォトフレーム機器１−１２から構成されている。デジタルカメラ機器１−１０は、ＧＰＳ（Global
Positioning System）などの位置情報（緯度、経度）を取得する位置情報取得部１−１０ａを備え、撮影した画像に位置情報取得部１−１０ａで取得した位置情報（撮影位置情報）を付加して記録するとともに、該記録した画像をルータ１−１１に転送する。
【００３０】
ルータ１−１１は、デジタルカメラ機器１−１０で撮影した、位置情報（撮影位置情報）が付加された画像を、ネットワーク３を介して画像蓄積／配信サーバ２にアップロードする。このとき、デジタルカメラ機器１−１０の位置情報取得部１−１０ａで取得した位置情報（表示端末１−１の設置場所を示す設置位置情報）をアップロードする画像にさらに付加する。すなわち、画像蓄積／配信サーバ２にアップロードされる画像には、撮影位置を示す撮影位置情報とアップロードした際の表示端末１−１の設置位置を示す設置位置情報とが付加されることになる。
【００３１】
また、ルータ１−１１は、ネットワーク３を介して画像蓄積／配信サーバ２から画像をダウンロードする。デジタルフォトフレーム機器１−１２は、デジタルカメラ機器１−１０により撮影された画像、または／及び、ルータ１−１１によりネットワーク３を介して画像蓄積／配信サーバ２からダウンロードした画像を表示する。
【００３２】
なお、上記説明では、位置情報（撮影位置情報）が付加された画像を、ネットワーク３を介して画像蓄積／配信サーバ２にアップロードする際に、デジタルカメラ機器１−１０の位置情報取得手段１−１０ａで取得した設置位置情報を、表示端末１−１の設置場所を示す設置位置情報としたが、これに限定されず、表示端末１−１自体が位置情報取得手段を備え、該位置情報取得手段により取得した位置情報を、表示端末１−１の設置場所を示す設置位置情報として画像に付加するようにしてもよい。
【００３３】
表示端末１−２は、撮像部１−２０、通信部１−２１、表示部１−２２、及び位置情報取得部１−２３を備えるデジタルフォトフレーム機器１−２４である。撮像部１−２０は、Ｗｅｂカメラなどからなり、画像を撮影する。通信部１−２１は、撮像部１−２０で撮影した画像を、ネットワーク３を介して画像蓄積／配信サーバ２にアップロードするとともに、ネットワーク３を介して画像蓄積／配信サーバ２から画像をダウンロードする。
【００３４】
表示部１−２２は、液晶、ＥＬなどからなり、撮像部１−２０により撮影された画像、または／及び画像蓄積／配信サーバ２からダウンロードした画像を表示する。位置情報取得部１−２３は、ＧＰＳ（Global
Positioning System）などからなり、位置情報（表示端末１−２の設置場所を示す設置位置情報＝撮像された画像の撮影場所を示す撮影位置情報）を取得する。また、通信部１−２１は、ネットワーク３を介して画像蓄積／配信サーバ２にアップロードする際に、位置情報取得部１−２３により取得された位置情報（設置位置情報＝撮影位置情報）を画像に付加するようになっている。
【００３５】
なお、表示部１−２２に代えて、例えば、テレビなどの外部の表示機器を接続し、外部の表示機器に画像を表示するようにしてもよい。
【００３６】
表示端末１−３は、デジタルカメラ機器１−３０、及びデジタルフォトフレーム機器１−３１から構成されている。デジタルカメラ機器１−３０は、ＧＰＳ（Global
Positioning System）などの位置情報を取得する位置情報取得部１−３０ａを備え、撮影した画像に位置情報取得部１−３０ａで取得した位置情報（撮影位置情報）を付加して記録するとともに、該記録した画像をデジタルフォトフレーム機器１−３１に転送する。
【００３７】
デジタルフォトフレーム機器１−３１は、記録部１−３２、通信部１−３３、及び表示部１−３４を備える。記録部１−３２は、画像を保持するメモリ（内蔵、着脱式）であり、例えば、デジタルカメラ機器１−３０から転送される画像を保持する。通信部１−３３は、記録部１−３２に記録されている画像や、デジタルカメラ機器１−３０で撮影された画像を、ネットワーク３を介して画像蓄積／配信サーバ２にアップロードするとともに、ネットワーク３を介して画像蓄積／配信サーバ２から画像をダウンロードする。
【００３８】
表示部１−３４は、液晶、ＥＬなどからなり、デジタルカメラ機器１−３０により撮影された画像、または／及び、ネットワーク３を介して画像蓄積／配信サーバ２からダウンロードした画像を表示する。
【００３９】
また、通信部１−３３は、デジタルカメラ機器１−３０で撮影した、位置情報（撮影位置情報）が付加された画像を、ネットワーク３を介して画像蓄積／配信サーバ２にアップロードする際に、デジタルカメラ機器１−３０の位置情報取得部１−３０ａで取得した位置情報（表示端末１−３の設置場所を示す設置位置情報）をアップロードする画像にさらに付加する。すなわち、画像蓄積／配信サーバ２にアップロードされる画像には、撮影位置を示す撮影位置情報とアップロードした際の表示端末１−３の設置位置を示す設置位置情報とが付加されることになる。
【００４０】
なお、上記説明では、位置情報（撮影位置情報）が付加された画像を、ネットワーク３を介して画像蓄積／配信サーバ２にアップロードする際に、デジタルカメラ機器１−３０の位置情報取得手段１−３０ａで取得した位置情報を、表示端末１−３の設置場所を示す設置位置情報としたが、これに限定されず、デジタルフォトフレーム機器１−３１自体が位置情報取得手段を備え、該位置情報取得手段により取得した位置情報を、表示端末１−３の設置場所を示す設置位置情報として画像に付加するようにしてもよい。
【００４１】
画像蓄積／配信サーバ２は、表示端末１−１〜１−３から、撮影位置情報及び設置位置情報が付加された画像が送信されてくると、受信した画像毎に、該画像を識別するための識別情報に対応付けて、画像の撮影位置情報と、送信元（表示端末）の設置位置情報とを保存するとともに、当該画像の送信元の設置位置情報、及び／または該画像の撮影位置情報に従って、関連する画像などを選択して送信元の表示端末１−１〜１−３に送り返す機能を備えている。
【００４２】
より具体的には、
（１）アップロード画像の撮影位置を検索の位置条件とし、画像の撮影位置が近い位置または同じ地域（詳細は後述する）である画像を検索する。
（２）アップロード画像の撮影位置を検索の位置条件とし、表示端末の設置位置が近い位置または同じ地域（詳細は後述する）である画像を検索する。
（３）表示端末の設置位置を検索の位置条件とし、画像の撮影位置が近い位置または同じ地域（詳細は後述する）である画像を検索する。
（４）表示端末の設置位置を検索の位置条件とし、表示端末の設置位置が近い位置または同じ地域（詳細は後述する）である画像を検索する。
という４つの検索方法により、関連した画像を選択するようになっている。
【００４３】
なお、上述した構成において、表示端末１−１〜１−３から画像蓄積／配信サーバ２に画像を送信する際の送信アドレス（または、ＩＤなど）と、画像蓄積／配信サーバ２から表示端末１−１〜１−３に画像を送信する際の受信アドレス（または、ＩＤなど）とを一致させることにより、画像蓄積／配信サーバ２側では、同じ機器または機器グループとの画像の送受信であることを認識することが可能であるので、表示端末１−１〜１−３は、各機能が複数の機器に分割されて構成されていても、１つの機器にまとめて構成されていても構わない。また、ユーザ入力されるＩＤを用いることにより、モバイル機器であっても対応可能である。
【００４４】
なお、上記説明では、撮影位置情報、及び設置位置情報は、表示端末１−１〜１−３の位置情報取得手部１−１０ａ、１−２３、１−３０ａがＧＰＳにより取得した緯度、経度などの地理的情報であるとしたが、これに限らず、ＧＰＳ以外の、例えば、ユーザが入力した郵便番号などであってもよい。
【００４５】
図２は、画像蓄積／配信サーバ２における、画像管理情報を説明するための概念図である。画像蓄積／配信サーバ２は、ネットワーク３を介して、複数の表示端末１−１〜１−３との間で、画像の送受信を行うことになる。そのため、画像蓄積／配信サーバ２は、図２に示すように、画像を識別する画像ＩＤ毎に、その画像の撮影位置、画像を提供（アップロード）した表示端末１−１〜１−３の設置位置を管理する画像管理情報テーブル２−１を保持する。
【００４６】
図示の例では、画像ＩＤ「１」に対して、その画像の撮影位置「Ａ」、表示端末の設置位置「Ｃ」、画像ＩＤ「２」に対して、その画像の撮影位置「Ｂ」、表示端末の設置位置「Ｄ」が対応付けて保持されている。なお、撮影位置、及び設置位置は、表示端末１−１〜１−３の位置情報取得手段がＧＰＳである場合には、緯度、経度などの地理的情報となるが、位置情報取得手段がＧＰＳ以外の、例えば、郵便番号などの情報であってもよい。
【００４７】
Ｂ．実施形態の動作
次に、本実施形態の動作について説明する。
図３は、本実施形態による画像蓄積／配信サーバ２の動作を説明するためのフローチャートである。画像蓄積／配信サーバ２は、まず、表示端末１−ｉ（ｉ＝１〜３）から画像のアップロードがあったか否かを判断し（ステップＳ１０）、画像のアップロードがない場合には、表示端末１−ｉからコメントの送信があったか否かを判断する（ステップＳ１２）。
【００４８】
該コメントは、ユーザ同士で情報交換や、意思疎通などを図るためのものであり、画像に付加することで、その画像を共有する他のユーザとの間で簡単なコミュニケーションを図ることができる。該コメントは、後述する表示端末の動作において、表示端末１−ｉが画像蓄積／配信サーバ２から画像を受信した際に入力されたものであり、受信した画像を識別するための画像ＩＤとともに、画像蓄積／配信サーバ２に送信される。そして、コメントの送信がない場合には、ステップＳ１０に戻り、画像がアップロードされるまで待機する。
【００４９】
一方、表示端末１−ｉからコメントの送信があった場合には、受信したコメントを、画像ＩＤに対応する画像に付加して記憶する（ステップＳ１４）。その後、ステップＳ１０に戻り、画像がアップロードされるまで待機する。
【００５０】
一方、表示端末１−ｉ（ｉ＝１〜３）から画像のアップロードがあると、該画像に付加されている撮影位置情報、及び設置位置情報に従って、該画像に対して画像撮影位置、画像提供端末設置位置を対応付けて画像管理情報テーブル２−１に記憶する（ステップＳ１６）。
【００５１】
次に、画像蓄積／配信サーバ２は、画像配信方法として上記（１）の検索方法が指定されているか否かを判断する（ステップＳ１８）。この画像配信方法の指定は、その指定情報を、画像がアップロードされる毎に表示端末１−１〜１−３から受信するようにしてもよい。また、任意のタイミングで各表示端末１−１〜１−３から受信した画像配信方法の指定情報を、表示端末１−１〜１−３毎に設定記憶しておくようにしてもよい。また、全ての表示端末１−１〜１−３に共通して同じ画像配信方法を設定記憶するようにしてもよい。
【００５２】
上記（１）の検索方法が指定されている場合には、アップロード画像の撮影位置を検索の位置条件とし、保存されている複数の画像の中から、撮影位置が近い位置または同じ地域である画像を検索し（ステップＳ２０）、検索された画像及びコメントを該当表示端末１−ｉに送信する（ステップＳ３４）。その後、ステップＳ１０に戻る。
【００５３】
ここで、近い位置であるか否かの判断は、例えば、距離が予め指定された範囲内であるか否かにより判断する。また、同じ地域であるか否かの判断は、例えば、地図データを参照することにより、○○番地、○○市、○○県、○○国、などの予め指定されたレベルで同じ地域に属するか否かにより判断してもよい。また、判断基準となる距離や地域の規模を任意に指定できるようにしてもよい。
【００５４】
この場合、画像をアップロードした表示端末１−ｉには、アップロード画像を撮影した撮影位置と近い位置または同じ地域で撮影された他者の画像が送信されてくることになる。つまり、画像をアップロードした表示端末１−ｉのユーザは、該ユーザが撮影した位置と近い位置または同じ地域で他者が撮影した画像を共有することになる。
【００５５】
一方、上記（１）の検索方法が指定されていない場合には、画像配信方法として上記（２）の検索方法が指定されているか否かを判断し（ステップＳ２２）、上記（２）の検索方法が指定されている場合には、アップロード画像の撮影位置を検索の位置条件とし、表示端末の設置位置が近い位置または同じ地域である画像を検索し（ステップＳ２４）、検索された画像を該当表示端末１−ｉに送信する（ステップＳ３４）。その後、ステップＳ１０に戻る。
【００５６】
この場合、画像をアップロードした表示端末１−ｉには、アップロード画像を撮影した撮影位置と近い位置または同じ地域に居る他者により撮影された画像が送信されてくることになる。つまり、画像をアップロードした表示端末１−ｉのユーザは、該ユーザが撮影した位置と近い位置または同じ地域に居る他者が撮影した画像を共有することになる。
【００５７】
一方、上記（２）の検索方法が指定されていない場合には、画像配信方法として上記（３）の検索方法が指定されているか否かを判断し（ステップＳ２６）、上記（３）の検索方法が指定されている場合には、表示端末１−ｉの設置位置を検索の位置条件とし、画像の撮影位置が近い位置または同じ地域である画像を検索し（ステップＳ２８）、検索された画像を該当表示端末１−ｉに送信する（ステップＳ３４）。その後、ステップＳ１０に戻る。
【００５８】
この場合、画像をアップロードした表示端末１−ｉには、該表示端末１−ｉが設置されている設置位置と近い位置または同じ地域で他者により撮影された画像が送信されてくることになる。つまり、画像をアップロードした表示端末１−ｉのユーザは、該ユーザが居る位置と近い位置または同じ地域で他者が撮影した画像を共有することになる。
【００５９】
さらに、上記（３）の検索方法が指定されていない場合には、画像配信方法として上記（４）の検索方法が指定されているか否かを判断し（ステップＳ３０）、上記（４）の検索方法が指定されている場合には、表示端末１−ｉの設置位置を検索の位置条件とし、表示端末１−ｊ（ｉ以外）の設置位置が近い位置または同じ地域である画像を検索し（ステップＳ３２）、検索された画像を該当表示端末１−ｉに送信する（ステップＳ３４）。その後、ステップＳ１０に戻る。
【００６０】
この場合、画像をアップロードした表示端末１−ｉには、表示端末１−ｉの設置位置と近い位置または同じ地域に居る他者により撮影された画像が送信されてくることになる。つまり、画像をアップロードした表示端末１−ｉのユーザは、自分が居る位置と近い位置または同じ地域に居る他者が撮影した画像を共有することになる。
【００６１】
次に、図４は、本実施形態による表示端末１−１〜１−３の動作を説明するためのフローチャートである。表示端末１−ｉ（ｉ＝１〜３）では、まず、画像蓄積／配信サーバ２から画像の送信があるか否かを判断し（ステップＳ４０）、画像の送信がない場合には、自身から画像をアップロードするか（ユーザによりアップロードの操作があったか）否かを判断する（ステップＳ４２）。そして、自身から画像をアップロードしない（ユーザによりアップロードの操作がない）場合には、何もせずにステップＳ４０に戻る。
【００６２】
一方、自身から画像をアップロードする（ユーザによりアップロードの操作があった）場合には、アップロード対象となる画像を選択する（ステップＳ４４）。これは、所定の記録媒体に記憶されている画像の一覧を表示するなどしてユーザにより選択させることで行われる。次に、位置情報取得部１−１０ａ、１−２３、あるいは１−３０ａにより現在位置（設置位置）を取得し（ステップＳ４６）、上記（１）〜（４）で示す画像配信方法を選択させ（ステップＳ４８）、選択された画像、撮影位置情報、設置位置情報、及び画像配信方法を送信画像蓄積／配信サーバ２に送信する（ステップＳ５０）。その後、ステップＳ４０に戻る。
【００６３】
これにより、画像蓄積／配信サーバ２では、前述したように、表示端末１−ｉからの画像、撮影位置情報、設置位置情報、及び画像配信方法を画像に対応付けて記憶するとともに、画像配信方法に応じて検索された画像を表示端末１−ｉに送信することになる。
【００６４】
一方、ステップＳ４０で、画像蓄積／配信サーバ２から画像の送信があった場合、すなわち、画像配信方法に応じて検索された画像を受信し（ステップＳ５２）、受信した画像が複数であるか否かを判断し（ステップＳ５４）、受信した画像が複数でない場合には、受信した画像を表示する（ステップＳ５６）。
【００６５】
次に、受信した画像にコメントが付加されているか否かを判断し（ステップＳ５８）、コメントが付加されている場合には、該コメントを表示する（ステップＳ６０）。次に、該画像に対してコメントするか否かを判断し（ステップＳ６２）、ユーザからコメントしない旨の指示があった場合には、そのままステップＳ４０に戻る。
【００６６】
一方、ユーザからコメントする旨の指示があった場合には、ユーザにコメントを入力させ（ステップＳ６４）、受信した画像を識別するための画像ＩＤとともに該入力されたコメントを、画像蓄積／配信サーバ２に送信する（ステップＳ６６）。その後、ステップＳ４０に戻る。このように、画像に対応させてコメントを送受信することにより、簡単なコミュニケーションを図ることができる。
【００６７】
一方、ステップＳ５４で、受信した画像が複数であった場合には、複数の画像の表示順を決定し（ステップＳ６８）、決定した順番で、受信した複数の画像をスライドショー表示する（ステップＳ７０）。その後、ステップＳ４０に戻る。
【００６８】
上述した実施形態によれば、表示端末１−１〜１−３の設置位置や、画像を撮影した撮影位置などを共通とするユーザ同士で画像を共有することになり、画像を共有したユーザ同士は、近い位置または同じ地域で同様の景色、あるいはどちらかのユーザにとって既知の景色などを撮影したか、互いに近隣に居る可能性が高い。したがって、ユーザ同士で趣味・嗜好が類似、または同じであったり、比較的近隣に居る可能性が高いので、親近感が生じやすく、自分の写真への感想コメントを聞いたり、他人の写真へ感想をコメントしたり、実際に会って何らかの活動を行おうとしたりする動機付けになり、現実のコミュニティを構築するきっかけとすることができる。そして、実際に、現実のコミュニティを容易に構築するすることができる。
【００６９】
なお、上述した実施形態において、表示端末１−１〜１−３が画像蓄積／配信サーバ２に送信する情報として、画像、撮影位置情報、及び設置位置情報以外に、ユーザの嗜好を示す嗜好情報を送信するようにしてもよい。ユーザの嗜好とは、どのような画像（写真）に興味があるかを示すものである。
【００７０】
例えば、ユーザが、自分は鉄道写真撮影を行わないが（鉄道写真等を送信しないが）、他人が撮影した鉄道写真には興味がある場合には、鉄道写真に対する興味があることを示す嗜好情報を画像に付加して画像蓄積／配信サーバ２に送信するようにしてもよい。画像蓄積／配信サーバ２は、ユーザの嗜好に係る嗜好情報を管理し、撮影位置情報、及び設置位置情報に加えて、該嗜好情報に基づいて画像の抽出、送信を行うようにする。これにより、ユーザは、自分では送信しないが、所望する画像を取得することができ、同じ嗜好をもつ他のユーザを知ることができるようになる。
【００７１】
また、上述した実施形態では、撮影位置情報、及び設置位置情報は、地理的な場所を示す情報であったが、これに限らず、国（日本、アメリカ、フランスなど）、地域（東北、関東、九州など）、電車の路線（中央線、青梅線など）、電車の駅（東京駅、品川駅、羽村駅など）、学校やランドマーク（○○小学校、△△中学校、□□ビル、××公園など）、あるいは、スポーツクラブ（サッカークラブ、スイミングクラブなど）、またはこれらの組み合わせであってもよい。
【００７２】
また、上述した実施形態では、表示端末１−１〜１−３が画像をアップロードした直後に、画像蓄積／配信サーバ２から、対応する画像を送信しているが、これに限らず、表示端末１−１〜１−３による画像のアップロード後、所定の時間が経過した後、画像蓄積／配信サーバ２で画像配信方法に従って選択した画像、もしくは画像リスト（画像が複数の場合）を配信するようにしてもよい。
【００７３】
また、表示端末１−１〜１−３は、画像蓄積／配信サーバ２から複数の画像を受信した場合、スライドショー表示を行うとしたが、スライドショー表示に限定するものではなく、例えば、複数の画像をサムネイル表示し、ユーザにより選択させて、選択された画像を表示するようにしてもよい。
【符号の説明】
【００７４】
１−１〜１−３  表示端末
２  画像蓄積／配信サーバ
３  ネットワーク
１−１０  デジタルカメラ機器
１−１０ａ  位置情報取得部
１−１１  ルータ
１−１２  デジタルフォトフレーム機器
１−２０  撮像部
１−２１  通信部
１−２２  表示部
１−２３  位置情報取得部
１−２４  デジタルフォトフレーム機器
１−３０  デジタルカメラ機器
１−３０ａ  位置情報取得部
１−３１  デジタルフォトフレーム機器
１−３２  記録部
１−３３  表示部
１−３４  通信部
２−１  画像管理情報テーブル
【図１】
2011076427.tif 000003
【図２】
2011076427.tif 000004
【図３】
2011076427.tif 000005
【図４】
2011076427.tif 000006
【手続補正書】
【提出日】平成22年10月5日(2010.10.5)
【手続補正２】
【補正対象書類名】明細書
【補正対象項目名】０００１
【補正方法】変更
【補正の内容】
【０００１】
本発明は、サーバ装置にアップロードした画像を不特定多数の人と共有する表示端末、サーバ装置、画像共有システム、及び画像共有方法に関する。
【手続補正３】
【補正対象書類名】明細書
【補正対象項目名】０００７
【補正方法】変更
【補正の内容】
【０００７】
そこで本発明は、ネットワークを介して複数の利用者の間で画像（写真）を共有することで、現実の繋がりのあるコミュニティを構築することができる表示端末、サーバ装置、画像共有システム、及び画像共有方法を提供することを目的とする。
【手続補正４】
【補正対象書類名】明細書
【補正対象項目名】０００８
【補正方法】変更
【補正の内容】
【０００８】
上記目的達成のため、請求項１記載の発明は、記録部に記録されている画像データを表示部に表示させる画像表示処理と、前記記録部に記録されている画像データをネットワークを介して他の表示端末に提供し、かつ、他の表示端末が記録している画像データをネットワークを介して取得して前記表示部に表示させる画像共有処理と、前記画像共有処理の対象となる画像データとして、当該表示端末の設置されている位置からの距離が所定条件を満たす位置に設置されている他の表示端末が記録している画像データを選択するように制御する共有制御処理と、を実行する制御部を備えることを特徴とする表示端末である。
【手続補正５】
【補正対象書類名】明細書
【補正対象項目名】０００９
【補正方法】変更
【補正の内容】
【０００９】
また、好ましい態様として、例えば請求項２記載のように、前記画像共有処理の対象となる画像データには、各画像データの撮影位置と、各画像データの提供元である表示端末の設置位置との２つの位置情報が関連付けて記憶管理されており、前記共有制御処理は、前記画像共有処理の対象となる画像データを位置情報に基づいて選択する場合に、その選択条件として前記撮影位置と前記設置位置のいずれかを任意に選択できるようにしたことを特徴とする。
【手続補正６】
【補正対象書類名】明細書
【補正対象項目名】００１０
【補正方法】変更
【補正の内容】
【００１０】
また、好ましい態様として、例えば請求項３記載のように、前記共有制御処理は、前記画像共有処理の対象となる画像データとして、他の表示端末が記録している画像データであって、当該表示端末の設置されている位置からの距離が所定条件を満たす位置で撮影された画像データを選択できるようにしたことを特徴とする。
【手続補正７】
【補正対象書類名】明細書
【補正対象項目名】００１１
【補正方法】変更
【補正の内容】
【００１１】
また、好ましい態様として、例えば請求項４記載のように、前記共有制御処理は、前記画像共有処理の対象となる画像データとして、当該表示端末が提供した画像データの撮影位置からの距離が所定条件を満たす位置に設置されている他の表示端末が記録している画像データを選択できるようにしたことを特徴とする。
【手続補正８】
【補正対象書類名】明細書
【補正対象項目名】００１２
【補正方法】変更
【補正の内容】
【００１２】
また、好ましい態様として、例えば請求項５記載のように、前記共有制御処理は、前記画像共有処理の対象となる画像データとして、他の表示端末が記録している画像データであって、当該表示端末が提供した画像データの撮影位置からの距離が所定条件を満たす位置で撮影された画像データを選択できるようにしたことを特徴とする。
【手続補正９】
【補正対象書類名】明細書
【補正対象項目名】００１３
【補正方法】変更
【補正の内容】
【００１３】
また、好ましい態様として、例えば請求項６記載のように、前記記録部に記録されている画像データをネットワークを介して他の表示端末に提供する場合に、該画像データの撮影位置と、当該表示端末の設置位置との２つの位置情報を該画像データに付加してアップロードすることを特徴とする。
【手続補正１０】
【補正対象書類名】明細書
【補正対象項目名】００１４
【補正方法】変更
【補正の内容】
【００１４】
また、好ましい態様として、例えば請求項７記載のように、前記画像共有処理の対象となる画像データにコメントが付加されている場合には、当該画像データとともにコメントを表示することを特徴とする。
【手続補正１１】
【補正対象書類名】明細書
【補正対象項目名】００１５
【補正方法】変更
【補正の内容】
【００１５】
また、好ましい態様として、例えば請求項８記載のように、前記画像共有処理の対象となる画像データを表示した状態でコメントを入力すると、当該画像データに対してコメントが付加されることを特徴とする。
【手続補正１２】
【補正対象書類名】明細書
【補正対象項目名】００１６
【補正方法】変更
【補正の内容】
【００１６】
また、上記目的達成のため、請求項９記載の発明は、複数の表示端末とネットワーク接続され、複数の画像データの各々に対応する位置情報を、各画像データを撮影した撮影位置と、各画像データを提供した表示端末の設置位置とに区別して管理する画像管理情報を有し、ネットワークを介していずれかの表示端末より画像データを受信した場合に、この画像データを提供した表示端末の設置位置を、当該画像データに関連付けて前記画像管理情報に記憶し、ネットワークを介していずれかの表示端末に画像データを送信する場合に、前記画像管理情報を参照することで、送信先の表示端末の設置位置からの距離が所定条件を満たす位置に設置されている他の表示端末から提供された画像データを選択して送信する制御部を備えたことを特徴とするサーバ装置である。
【手続補正１３】
【補正対象書類名】明細書
【補正対象項目名】００１７
【補正方法】変更
【補正の内容】
【００１７】
また、上記目的達成のため、請求項１０記載の発明は、サーバ装置にアップロードした画像を、ネットワークを介して複数の端末装置で共有する画像共有システムであって、前記サーバ装置は、前記複数の端末装置のいずれかから画像がアップロードされた場合に、画像をアップロードした端末装置の設置位置を示す位置情報を検索条件とし、既にアップロードされている複数の画像の中から、前記検索条件である位置情報に対応する設置位置の端末装置で撮影された画像を検索し、この検索された画像を前記アップロードした端末装置に送信する第１の画像配信手段を備えることを特徴とする画像共有システムである。
【手続補正１４】
【補正対象書類名】明細書
【補正対象項目名】００１８
【補正方法】変更
【補正の内容】
【００１８】
また、好ましい態様として、例えば請求項１１記載のように、前記サーバ装置は、前記複数の端末装置からアップロードされた複数の画像の各々に対して、前記アップロードした端末装置の設置位置を示す設置位置情報を対応付けて記憶管理する設置位置情報管理手段を更に備えることを特徴とする。
また、好ましい態様として、例えば請求項１２記載のように、前記サーバ装置は、前記複数の端末装置のいずれかから画像がアップロードされた場合に、アップロードした端末装置の設置位置を示す位置情報を検索条件とし、既にアップロードされている複数の画像の中から、前記検索条件である位置情報に対応する撮影位置の画像を検索し、この検索された画像を、前記アップロードした端末装置に送信する第２の画像配信手段と、前記アップロードした端末装置からの指定に従って、前記第１の画像配信手段と前記第２の画像配信手段とのいずれか一方を選択して画像配信させる配信選択手段とを更に備えることを特徴とする。
また、好ましい態様として、例えば請求項１３記載のように、前記サーバ装置は、前記複数の端末装置からアップロードされた複数の画像の各々に対して、該画像の撮影位置を示す撮影位置情報を対応付けて記憶管理する撮影位置情報管理手段を更に備えることを特徴とする。
また、好ましい態様として、例えば請求項１４記載のように、前記サーバ装置は、前記複数の端末装置のいずれかから画像がアップロードされた場合に、このアップロードされた画像の撮影位置を示す位置情報を検索条件とし、既にアップロードされている複数の画像の中から、前記検索条件の位置情報に対応する設置位置の端末装置が撮影した画像を検索し、この検索された画像を、前記アップロードした端末装置に送信する第３の画像配信手段を更に備え、前記配信選択手段は、前記アップロードした端末装置からの指定に従って、前記第１の画像配信手段、前記第２の画像配信手段、または前記第３の画像配信手段のいずれか１つを選択して画像配信させることを特徴とする。
また、好ましい態様として、例えば請求項１５記載のように、前記サーバ装置は、前記複数の端末装置のいずれかから画像がアップロードされた場合に、このアップロード画像の撮影位置を示す位置情報を検索条件とし、既にアップロードされている複数の画像の中から、記検索条件の位置情報に対応する撮影位置の画像を検索し、この検索された画像を、前記アップロードした端末装置に送信する第４の画像配信手段を更に備え、前記配信選択手段は、前記アップロードした端末装置からの指定に従って、前記第１の画像配信手段、前記第２の画像配信手段、前記第３の画像配信手段、または前記第４の画像配信手段のいずれか１つを選択して画像配信させることを特徴とする。
また、好ましい態様として、例えば請求項１６記載のように、前記第１の画像配信手段は、前記検索条件である位置情報に対応する設置位置の端末装置を特定する場合に、前記検索条件である位置情報で示される位置からの距離が予め指定された範囲内に設置された端末装置、または、前記検索条件である位置情報で示される地域と同じ地域内に設置された端末装置を特定することを特徴とする。
また、好ましい態様として、例えば請求項１７記載のように、前記第２の画像配信手段は、前記検索条件である位置情報に対応する撮影位置の画像を特定する場合に、前記検索条件である位置情報で示される位置からの距離が予め指定された範囲内で撮影された画像、または、前記検索条件である位置情報で示される地域と同じ地域内で撮影された画像を特定することを特徴とする。
また、好ましい態様として、例えば請求項１８記載のように、前記第３の画像配信手段は、前記検索条件である位置情報に対応する設置位置の端末装置を特定する場合に、前記検索条件である位置情報で示される位置からの距離が予め指定された範囲内に設置された端末装置、または、前記検索条件である位置情報で示される地域と同じ地域内に設置された端末装置を特定することを特徴とする。
また、好ましい態様として、例えば請求項１９記載のように、前記第４の画像配信手段は、前記検索条件である位置情報に対応する撮影位置の画像を特定する場合に、前記検索条件である位置情報で示される位置からの距離が予め指定された範囲内で撮影された画像、または、前記検索条件である位置情報で示される地域と同じ地域内で撮影された画像を特定することを特徴とする。
【手続補正１５】
【補正対象書類名】明細書
【補正対象項目名】００１９
【補正方法】変更
【補正の内容】
【００１９】
また、上記目的達成のため、請求項２０記載の発明は、サーバ装置にアップロードした画像を、ネットワークを介して複数の端末装置で共有する画像共有方法であって、前記複数の端末装置のいずれかが、前記サーバ装置に画像を送信する際、当該端末装置の設置位置を示す設置位置情報を付加して送信するステップと、前記サーバ装置が、前記複数の端末装置のいずれかから画像がアップロードされた際に、画像をアップロードした端末装置の設置位置を示す位置情報を検索条件とし、既にアップロードされている複数の画像の中から、前記検索条件である位置情報に対応する設置位置の端末装置で撮影された画像を検索するステップと、前記サーバ装置が、検索された画像を前記アップロードした端末装置に送信するステップと、前記アップロードした端末装置が、前記サーバ装置から送信されてくる画像を受信して保存するステップとを含むことを特徴とする画像共有方法である。
【手続補正１６】
【補正対象書類名】明細書
【補正対象項目名】００２４
【補正方法】変更
【補正の内容】
【００２４】
この発明によれば、ネットワークを介して複数の利用者の間で画像（写真）を共有する際に、各利用者の表示端末が設置された位置に基づいて共有する画像データを選択することで、現実の繋がりのあるコミュニティを構築することができるという利点が得られる。
【手続補正１７】
【補正対象書類名】特許請求の範囲
【補正対象項目名】全文
【補正方法】変更
【補正の内容】
【特許請求の範囲】
【請求項１】
記録部に記録されている画像データを表示部に表示させる画像表示処理と、
前記記録部に記録されている画像データをネットワークを介して他の表示端末に提供し、かつ、他の表示端末が記録している画像データをネットワークを介して取得して前記表示部に表示させる画像共有処理と、
前記画像共有処理の対象となる画像データとして、当該表示端末の設置されている位置からの距離が所定条件を満たす位置に設置されている他の表示端末が記録している画像データを選択するように制御する共有制御処理と、
を実行する制御部を備えることを特徴とする表示端末。
【請求項２】
前記画像共有処理の対象となる画像データには、各画像データの撮影位置と、各画像データの提供元である表示端末の設置位置との２つの位置情報が関連付けて記憶管理されており、
前記共有制御処理は、前記画像共有処理の対象となる画像データを位置情報に基づいて選択する場合に、その選択条件として前記撮影位置と前記設置位置のいずれかを任意に選択できるようにしたことを特徴とする請求項１記載の表示端末。
【請求項３】
前記共有制御処理は、前記画像共有処理の対象となる画像データとして、他の表示端末が記録している画像データであって、当該表示端末の設置されている位置からの距離が所定条件を満たす位置で撮影された画像データを選択できるようにしたことを特徴とする請求項２記載の表示端末。
【請求項４】
前記共有制御処理は、前記画像共有処理の対象となる画像データとして、当該表示端末が提供した画像データの撮影位置からの距離が所定条件を満たす位置に設置されている他の表示端末が記録している画像データを選択できるようにしたことを特徴とする請求項２記載の表示端末。
【請求項５】
前記共有制御処理は、前記画像共有処理の対象となる画像データとして、他の表示端末が記録している画像データであって、当該表示端末が提供した画像データの撮影位置からの距離が所定条件を満たす位置で撮影された画像データを選択できるようにしたことを特徴とする請求項２記載の表示端末。
【請求項６】
前記記録部に記録されている画像データをネットワークを介して他の表示端末に提供する場合に、該画像データの撮影位置と、当該表示端末の設置位置との２つの位置情報を該画像データに付加してアップロードすることを特徴とする請求項２記載の表示端末。
【請求項７】
前記画像共有処理の対象となる画像データにコメントが付加されている場合には、当該画像データとともにコメントを表示することを特徴とする請求項１記載の表示端末。
【請求項８】
前記画像共有処理の対象となる画像データを表示した状態でコメントを入力すると、当該画像データに対してコメントが付加されることを特徴とする請求項７記載の表示端末。
【請求項９】
複数の表示端末とネットワーク接続され、
複数の画像データの各々に対応する位置情報を、各画像データを撮影した撮影位置と、各画像データを提供した表示端末の設置位置とに区別して管理する画像管理情報を有し、
ネットワークを介していずれかの表示端末より画像データを受信した場合に、この画像データを提供した表示端末の設置位置を、当該画像データに関連付けて前記画像管理情報に記憶し、
ネットワークを介していずれかの表示端末に画像データを送信する場合に、前記画像管理情報を参照することで、送信先の表示端末の設置位置からの距離が所定条件を満たす位置に設置されている他の表示端末から提供された画像データを選択して送信する制御部を備えたことを特徴とするサーバ装置。
【請求項１０】
サーバ装置にアップロードした画像を、ネットワークを介して複数の端末装置で共有する画像共有システムであって、
前記サーバ装置は、
前記複数の端末装置のいずれかから画像がアップロードされた場合に、画像をアップロードした端末装置の設置位置を示す位置情報を検索条件とし、既にアップロードされている複数の画像の中から、前記検索条件である位置情報に対応する設置位置の端末装置で撮影された画像を検索し、この検索された画像を前記アップロードした端末装置に送信する第１の画像配信手段を備えることを特徴とする画像共有システム。
【請求項１１】
前記サーバ装置は、前記複数の端末装置からアップロードされた複数の画像の各々に対して、前記アップロードした端末装置の設置位置を示す設置位置情報を対応付けて記憶管理する設置位置情報管理手段を更に備えることを特徴とする請求項１０に記載の画像共有システム。
【請求項１２】
前記サーバ装置は、前記複数の端末装置のいずれかから画像がアップロードされた場合に、アップロードした端末装置の設置位置を示す位置情報を検索条件とし、既にアップロードされている複数の画像の中から、前記検索条件である位置情報に対応する撮影位置の画像を検索し、この検索された画像を、前記アップロードした端末装置に送信する第２の画像配信手段と、前記アップロードした端末装置からの指定に従って、前記第１の画像配信手段と前記第２の画像配信手段とのいずれか一方を選択して画像配信させる配信選択手段とを更に備えることを特徴とする請求項１１に記載の画像共有システム。
【請求項１３】
前記サーバ装置は、前記複数の端末装置からアップロードされた複数の画像の各々に対して、該画像の撮影位置を示す撮影位置情報を対応付けて記憶管理する撮影位置情報管理手段を更に備えることを特徴とする請求項１２記載の画像共有システム。
【請求項１４】
前記サーバ装置は、前記複数の端末装置のいずれかから画像がアップロードされた場合に、このアップロードされた画像の撮影位置を示す位置情報を検索条件とし、既にアップロードされている複数の画像の中から、前記検索条件の位置情報に対応する設置位置の端末装置が撮影した画像を検索し、この検索された画像を、前記アップロードした端末装置に送信する第３の画像配信手段を更に備え、前記配信選択手段は、前記アップロードした端末装置からの指定に従って、前記第１の画像配信手段、前記第２の画像配信手段、または前記第３の画像配信手段のいずれか１つを選択して画像配信させることを特徴とする請求項１３に記載の画像共有システム。
【請求項１５】
前記サーバ装置は、
前記複数の端末装置のいずれかから画像がアップロードされた場合に、このアップロード画像の撮影位置を示す位置情報を検索条件とし、既にアップロードされている複数の画像の中から、記検索条件の位置情報に対応する撮影位置の画像を検索し、この検索された画像を、前記アップロードした端末装置に送信する第４の画像配信手段を更に備え、
前記配信選択手段は、
前記アップロードした端末装置からの指定に従って、前記第１の画像配信手段、前記第２の画像配信手段、前記第３の画像配信手段、または前記第４の画像配信手段のいずれか１つを選択して画像配信させることを特徴とする請求項１２または１４に記載の画像共有システム。
【請求項１６】
前記第１の画像配信手段は、前記検索条件である位置情報に対応する設置位置の端末装置を特定する場合に、前記検索条件である位置情報で示される位置からの距離が予め指定された範囲内に設置された端末装置、または、前記検索条件である位置情報で示される地域と同じ地域内に設置された端末装置を特定することを特徴とする請求項１０記載の画像共有システム。
【請求項１７】
前記第２の画像配信手段は、前記検索条件である位置情報に対応する撮影位置の画像を特定する場合に、前記検索条件である位置情報で示される位置からの距離が予め指定された範囲内で撮影された画像、または、前記検索条件である位置情報で示される地域と同じ地域内で撮影された画像を特定することを特徴とする請求項１２記載の画像共有システム。
【請求項１８】
前記第３の画像配信手段は、前記検索条件である位置情報に対応する設置位置の端末装置を特定する場合に、前記検索条件である位置情報で示される位置からの距離が予め指定された範囲内に設置された端末装置、または、前記検索条件である位置情報で示される地域と同じ地域内に設置された端末装置を特定することを特徴とする請求項１４記載の画像共有システム。
【請求項１９】
前記第４の画像配信手段は、前記検索条件である位置情報に対応する撮影位置の画像を特定する場合に、前記検索条件である位置情報で示される位置からの距離が予め指定された範囲内で撮影された画像、または、前記検索条件である位置情報で示される地域と同じ地域内で撮影された画像を特定することを特徴とする請求項１５記載の画像共有システム。
【請求項２０】
サーバ装置にアップロードした画像を、ネットワークを介して複数の端末装置で共有する画像共有方法であって、
前記複数の端末装置のいずれかが、前記サーバ装置に画像を送信する際、当該端末装置の設置位置を示す設置位置情報を付加して送信するステップと、
前記サーバ装置が、前記複数の端末装置のいずれかから画像がアップロードされた際に、画像をアップロードした端末装置の設置位置を示す位置情報を検索条件とし、既にアップロードされている複数の画像の中から、前記検索条件である位置情報に対応する設置位置の端末装置で撮影された画像を検索するステップと、
前記サーバ装置が、検索された画像を前記アップロードした端末装置に送信するステップと、
前記アップロードした端末装置が、前記サーバ装置から送信されてくる画像を受信して保存するステップと
を含むことを特徴とする画像共有方法。